(57)【要約】      （修正有）【課題】トイレットペーパーを機械で挟み込むと、必ずトイレットペーパーは垂直に立った状態になる、そのため臀部をふき取る機械面がむき出しになり、実用化を妨げていた、拭き取り動作時に、機械が臀部に当る問題を解決できる紙つかみヘッドを提供する。【解決手段】手のひらサイズに折りたたんだ、トイレットペーパー５を同じぐらいの面積を持つ台座２の上に置く。台座２は側壁が３ｃｍ程垂直に立ち、その中心にも垂直に立つガイド板３がある。紙つかみヘッド１、７が、トイレットペーパー５ごと上から抑え込むことで、トイレットペーパー５は両サイドに側壁がある受け台座２により、両端がまくれ上がり、ガイド板３を咬み込むようにして、紙つかみヘッド１、７を包み込みながら、紙つかみヘッド１，７に固定される、その結果拭き取り動作時にはトイレットペーパー５だけが、臀部に当る。【選択図】図１
2014064885.tif 000002
【特許請求の範囲】
【請求項１】
トイレットペーパーを正確につかむ構造は、紙つかみヘッドの下に、トイレットペーパーがあり、その下に台座を置き、紙つかみヘッドがトイレットペーパーを抑え込むことで、トイレットペーパーを包むようにつかむ構造である、臀部水分自動除去装置の紙つかみヘッド。
【請求項２】
台座の中心には垂直に立ったガイド板があり、紙つかみのヘッドが上部からトイレットペーパーを抑え込むとき、紙つかみのヘッドはガイド板を挟むように抑え込むため、正確にトイレットペーパーを掴むことができる、請求項１に記載の臀部水分自動除去装置の紙つかみヘッド。
【請求項３】
トイレットペーパー受け台座の中央のガイド板は移動する、トイレットペーパーをつかむため、紙つかみのヘッドが移動しても、ガイド板も移動するので、紙つかみ動作を容易に保持できる、請求項１に記載の臀部水分自動除去装置の紙つかみヘッド。
【請求項４】
台座の上面積は、使用するトイレットペーパーの面積程度であり、紙つかみのヘッドが上部からトイレットペーパーを抑え込むとき、トイレットペーパーの両端が、台座の側壁に挟み込まれてまくれ上がるため、トイレットペーパーは、球形状の紙つかみヘッドを包み込むようにまとわりつき、紙つかみヘッドはトイレットペーパーを包むながら掴みとることができる、請求項１に記載の臀部水分自動除去装置の紙つかみヘッド。
【請求項５】
紙つかみヘッドは、本体と固定するためのビス穴から細い棒を差し込み、ヘッドを引っ張る板バネを押し込むことで簡単に脱着できる、請求項１に記載の臀部水分自動除去装置の紙つかみヘッド。
【請求項６】
紙つかみのヘッドは球形状であり、ほぼ半円の位置で開閉動作ができるようになっていて、半円同士はスプリングで反発して通常は開いている、請求項１に記載の臀部水分自動除去装置の紙つかみヘッド。
【請求項７】
紙つかみのヘッドの半分は制御部に固定されており、もう一つの半円が板バネに接続されたワイヤーで引っ張られることで、トイレットペーパーを掴む、請求項６に記載の臀部水分自動除去装置の紙つかみヘッド。
【請求項８】
紙つかみヘッドとトイレットペーパー受け台座の組み合わせは上下が逆さまでも同じ機能を提供することができる、請求項１に記載の臀部水分自動除去装置の紙つかみヘッド。
【請求項９】
紙つかみヘッドは、本体と固定するためのビス穴から細い棒を差し込み、ヘッドを引っ張る板バネを押し込むことで簡単に脱着できる、請求項１に記載の臀部水分自動除去装置の紙つかみヘッド。
【発明の詳細な説明】
【技術分野】
【０００１】
本発明は、便器周辺の機器に関し、より特定的には、臀部の水分をトイレットペーパーで拭きとるための、トイレットペーパーの紙つかみ装置である。
【背景技術】
【０００２】
従来、臀部ふき取り装置には、トイレットペーパーをつかんでふき取りを行う装置が付帯していたが、トイレットペーパーをつかむ形状が、トイレットペーパーを挟むだけの構造であるため、トイレットペーパーが正確に臀部にフィットしない欠点があり、臀部がトイレットペーパー以外の器具に当たるなど、不衛生な上に不完全な装置であった。
【先行技術文献】
【特許文献】
【０００３】
【特許文献１】特許第４６４１３１３号
【特許文献２】特許第４１９５０７６号
【非特許文献】
【０００４】
【非特許文献１】意匠第１３９４１４８号
【非特許文献２】意匠第１４１１１１９号
【発明の開示】
【発明が解決しようとする課題】
【０００５】
高齢者や身体の不自由な人がトイレを済ませ、水分で洗浄したのち、臀部の水分を機械を用いて、トイレットペーパー使ってふき取るとき、ふき取り装置がトイレットペーパーを完全につかんでいなければ、機械が直接臀部に当たるなど不衛生であるし、水分を完全に拭くことができない、この発明はトイレットペーパーが機械に完全に包み込まれて、完全なふき取りを提供することができる。
【課題を解決するための手段】
【０００６】
上記課題を解決するためには、トイレットペーパーの下に台座を置き、台座の両端は使用するトイレットペーパー両端の位置で、３ｃｍ程立ち上がったこの字形をしており、台座中央には可動式のガイド板がついている、紙つかみヘッドの開口部が、ガイド板ごとトイレットペーパーを上から抑え込むと、トイレットペーパーの両端は、紙つかみヘッドと台座の両端に挟まれ、紙つかみヘッドにまとわりつく、ガイド板は紙つかみヘッドに挟まれるが、可動できるためトイレットペーパーを掴む動作の邪魔にならない、この構造は紙つかみヘッドが、トイレットペーパーを完全に包んだ状態で、つかむことができることを特徴とする。
【発明の効果】
【０００７】
本発明によれば、自動で臀部を拭くとき、トイレットペーパーの下にあるつかみ部が露出していると、臀部につかみ部が直接当たり不完全なふき取りしかできない上に、不快感を与え不衛生である。実用化のためには、紙つかみヘッドを包み込むようにトイレットペーパーが固定される必要がある。
【０００８】
図２は本発明によって、トイレットペーパーを完全に掴んだ状態を示したものである、トイレットペーパーは紙つかみヘッドに完全に包まれている、
【０００９】
図３は従来のトイレットペーパーが紙つかみヘッドに挟み込まれて、不完全に立っている状態を示している、この結果では紙つかみヘッドが臀部にあたり、不完全なふき取りしかできない上に、不快感を与え不衛生である。
【００１０】
本発明の目的、特徴、効果は、添付図面と照合して、以下の詳細な説明から一層明らかになるであろう。
【発明を実施するための形態】
【００１１】
図１は、本発明の実施形態に係る構成を示す図である、つかみヘッド１と７と、台座２と、ガイド板３と、ガイド板３を可動するためのスリット４と、トイレットペーパー５とつかみヘッド１と７を連結する連結棒６とつかみヘッド１を移動させるための板バネ１１とワイヤー８に接続された接続板６aを備える。
【００１２】
図１は、トイレットペーパーをつかみヘッドの１と７と、台座２の間に置くことが条件となる、つかみヘッド１と７が台座２の方向に移動すると紙つかみヘッドの１と７の隙間は、ガイドの板３とトイレットペーパーを挟んで抑え込む。
【００１３】
図１の、つかみヘッド１は板バネ１１とワイヤー８で本体制御部に連結されており、ワイヤー８が引っ張られることでつかみヘッド１はつかみヘッド７側に移動する。
【００１４】
図１の、つかみヘッド７は制御本体に直接固定されており、制御システムで動作する。
【００１５】
図１で示す、台座２の大きさは使用するトイレットペーパーの面積と、同じぐらいが望ましい。
【００１６】
図１の、つかみヘッド１と７と台座２の間に、トイレットペーパー５を置くと、紙つかみヘッド１と７が、トイレットペーパー５を台座２の方向に抑え込む、そのため紙つかみヘッドの１と７の開口部がガイド板３をトイレットペーパーごと挟む込むため、台座２がトイレットペーパー周辺を台座２の外壁に沿って抑え込むことになる。
【００１７】
図１のガイド板３は、紙つかみヘッド１がワイヤー８に引っ張られ７側に移動するとき、１の動作を妨げないようスリット４によって移動する。
【００１８】
図２は本発明による効果であり、つかみヘッドがトイレットペーパーを掴んでいる状態を示している、トイレットペーパーはつかみヘッドを完全に包み込んでいる。
【００１９】
図３は改良前の従来のつかみ状態を示している。
【００２０】
図４はつかみヘッド７と１と板バネ１１の連結状態の内部状態を透視したものである、
紙つかみヘッド１は板バネ１１に連結されており、板バネ１１はワイヤーと接続された制御部から、引っ張られることでつかみヘッド１はつかみヘッド７を抑え込む、つかみヘッドの脱着を容易にするために、つかみヘッド７とアーム棒１３はねじ１２で固定されており、ねじ１２を取った後の穴に、細い棒を差し込むと板バネ１１が押され、つかみヘッド１との連結がはずれ、つかみヘッド１と７は連結棒１３と分離される、スプリング１４は、つかみヘッド１と７が開口状態を維持するためにある。
【００２１】
図５は部品を単体で表した構成図であり板バネ１１はワイヤー８と接続している。
【００２２】
図６は正面から部品の断面を表した構成図であり６aと１１の接続状態を示す。
【産業上の利用可能性】
【００２３】
温水洗浄式のトイレでは使用後の水滴の除去を温風乾燥器で乾燥する方法もあったが、時間がかかりすぎるのと、水滴をふき取った感触が得られないため、最近の便座では、ほとんど採用されていない、自分でトイレットペーパーを使って、臀部をふき取るためには中腰になる必要がある、しかし腰に障害を持つ人、手脚の不自由な人にとって、他人に臀部を拭いてもらうのは、トイレに行くたびに介助をお願いしなければならない煩わしさとともに、自身の自尊心をも深く傷つけるため、トイレを我慢することになる、従来の特許でなされたものは、正確にトイレットペーパーをつかむことができないことで、ふき取りに対し実用的でなかった、この発明で清潔なふきとりを提供できる紙つかみの構造を提供した。
【図面の簡単な説明】
【００２４】
【図１】本発明の実施形態に係る紙つかみヘッドと台座の構成を示す。
【図２】本発明の実施形態に係る紙つかみの改善された状態を示す。
【図３】本発明の実施形態に係る紙つかみの改善前の状態を示す
【図４】本発明の実施形態に係る紙つかみのヘッドの構造を透視図で示す。
【図５】本発明の実施形態に係る紙つかみのヘッドの部品関係を分解図で示す。
【図６】本発明の実施形態に係る紙つかみのヘッドの断面図を示す。
【符号の説明】
【００２５】
１  紙つかみヘッドにトイレットペーパーを咬みこませるための可動のヘッド部。
２  紙つかみヘッドがトイレットペーパーをつつみこみための空間を作る外壁。
３  トイレットペーパーを紙つかみヘッドに押し込むためのガイド板。
４  ３のガイド板を移動可能とするためのスリット。
５  トイレットペーパー。
６  １を７と連結するための連結棒。
６a  １と１１を連結するための接続板
７  １の受け側で制御部と連結されており、ふき取り動作をする。
８  １１と１に連結されており制御部で引っ張ることで１と７の開口部は可変する。
９  本発明によってトイレットペーパーが紙つかみヘッドに包まれている状態を示す。
１０トイレットペーパーを紙つかみヘッドがつかんでいるが、トイレットペーパーが立った状態であり、紙つかみヘッドは外部にむき出しである発明前の状態。
１１  本体制御部と１を連結するための板バネ。
１２  ７と１３を固定するためのねじ。
１２a１２のねじ穴で細い棒を差し込み、板バネを１１押すと１と１１は外れる。
１３  本体制御部と紙つかみヘッドを連結するパイプ。
１４  １と７を開口するためのスプリング。
【図１】
2014064885.tif 000003
【図２】
2014064885.tif 000004
【図３】
2014064885.tif 000005
【図４】
2014064885.tif 000006
【図５】
2014064885.tif 000007
【図６】
2014064885.tif 000008